(57)【特許請求の範囲】
【請求項１】
先端処置部材駆動機構を可動に挟持する駆動機構挟持溝部とシースの先端に連結されるシース連結部とが形成された先端支持部材を有する内視鏡用処置具であって、
上記先端支持部材が、板状素材から一繋がりのコの字状に形成されてその開放端を前方に向けて配置された駆動機構挟持溝部の後端連結部分と、管状素材から軸線位置に孔を有するキャップ状に形成されたシース連結部とを一体に連結固着して形成されていることを特徴とする内視鏡用処置具。
【請求項２】
上記駆動機構挟持溝部と上記シース連結部とが、各々プレス加工によって形成されている請求項１記載の内視鏡用処置具。
【請求項３】
上記駆動機構挟持溝部と上記シース連結部とが、かしめ、溶接又はロー付けによって一体に連結されている請求項１又は２記載の内視鏡用処置具。
【発明の詳細な説明】
【０００１】
【発明の属する技術分野】
この発明は、内視鏡の処置具挿通チャンネルに挿通されて体腔内における処置に用いられる内視鏡用処置具に関する。
【０００２】
【従来の技術】
図９は、最も代表的な内視鏡用処置具である内視鏡用生検鉗子の先端部分を示しており、可撓性シース１内に操作ワイヤ２が軸線方向に進退自在に挿通配置され、シース１の先端に取り付けられた先端支持部材３に、一対の鉗子カップ７が支軸５を中心にして嘴状に開閉自在に支持されている。
【０００３】
先端支持部材３の先側部分には、先側に開口する溝３ａが形成されており、操作ワイヤ２によって作動して鉗子カップ７を開閉駆動する駆動機構１０が溝３ａ内に挟持配置されている。
【０００４】
【発明が解決しようとする課題】
図１０は、先端支持部材３を単独で示しており、先端支持部材３の後側部分３Ａはシース１の先端部分が差し込まれる筒状に形成され、先側部分３Ｂには上述のように駆動機構１０が挟持配置される溝３ａが形成されている。
【０００５】
したがって、先端支持部材３を製造するためには棒状の素材に対して、後方からの穴あけ加工と先側の溝形成加工の少なくとも二種類の切削加工が必要であり、しかもフライス盤等の使用を必要とすることから、部品製造にコストがかさむ欠点があった。
【０００６】
そこで本発明は、駆動機構挟持溝部とシース連結部とを有する先端支持部材を低コストで製造可能な内視鏡用処置具を提供することを目的とする。
【０００７】
【課題を解決するための手段】
上記の目的を達成するため、本発明の内視鏡用処置具は、先端処置部材駆動機構を可動に挟持する駆動機構挟持溝部とシースの先端に連結されるシース連結部とが形成された先端支持部材を有する内視鏡用処置具であって、先端支持部材を、板状素材からコの字状に形成された駆動機構挟持溝部と、管状素材から軸線位置に孔を有するキャップ状に形成されたシース連結部とを一体に連結して形成したものである。
【０００８】
そして、駆動機構挟持溝部とシース連結部とを、各々プレス加工によって形成することができ、駆動機構挟持溝部とシース連結部とを、かしめ、溶接又はロー付け等によって一体に連結すればよい。
【０００９】
【発明の実施の形態】
図面を参照して本発明の実施の形態を説明する。
図１及び図２は、内視鏡用生検鉗子の先端部分を示しており、図１は平面断面図、図２は側面断面図である。ただし、両図共に、少ない図面で構造を説明できるように、異なる断面を複合して図示してある。
【００１０】
図示されていない内視鏡の鉗子チャンネルに挿脱される可撓性のシース１は、例えばステンレス鋼線を一定の径で密着巻きして形成された密着巻コイルパイプからなる。
【００１１】
ただし、シース１は密着巻コイルパイプに可撓性チューブを被覆したものや、その他の構成をとってもよく、その長さは例えば１〜２．５ｍ程度、直径は１．５〜３ｍｍ程度である。
【００１２】
シース１の内部には、軸線方向に進退自在に操作ワイヤ２が全長にわたって挿通配置されており、シース１の基端側に連結された操作部（図示せず）からの操作によって操作ワイヤ２が進退操作される。
【００１３】
シース１の先端には、先端支持部材３が連結固定されている。この先端支持部材３は、図６に単独で示され、図７に分解して示されるように、シース１の先端が連結されるシース連結部３１の先側に、コの字状に形成された駆動機構挟持溝部３２が例えばスポット溶接又は銀ロー付け等によって一体に連結固着されて構成されている。
【００１４】
この実施の形態のシース連結部３１は、例えばステンレス鋼管等の金属管素材から軸線位置に孔を有するキャップ状に形成され、あるいはステンレス鋼板からプレス加工による絞り成型によりキャップ状に形成され、その周壁にはシース１の先端外周に螺合する螺旋状の凹凸が形成されている。
【００１５】
また、駆動機構挟持溝部３２は、例えばステンレス鋼板等の金属板素材をコの字状に曲げてその開放部分を前方に向けたものであり、後端部分がシース連結部３１に固着されている。
【００１６】
そして、先端支持部材３のシース連結部３１と駆動機構挟持溝部３２との連結固着部の中心軸線位置には、後述するワイヤ連結リンク１２が緩く通る貫通孔が形成されている。
【００１７】
このように、先端支持部材３はフライス盤等による切削加工を全く行うことなくほとんどプレス加工のみで製造することができるので、製造コストを大幅に低減することができる。
【００１８】
先端支持部材３の先端近傍（即ち駆動機構挟持溝部３２の先端近傍）には、軸線方向と直交する向きに支軸受孔４が貫通して穿設され、そこに支軸５が通されてかしめ固定されている。
【００１９】
そして、鉗子カップ７と駆動レバー８とが一体に形成された二組の部材がその支軸５に回動自在に支持されており、一対の鉗子カップ７は、開放面どうしが対向した状態で先端支持部材３より前方に突出した位置に配置されている。
【００２０】
駆動レバー８は、コの字状の駆動機構挟持溝部３２の溝３２ａ内に可動に収容されている。そして、両端が先端支持部材３に保持された支軸５が各駆動レバー８に穿設された軸孔１１に通されていて、駆動レバー８が支軸５を中心に回動することにより、駆動レバー８と一体に形成された鉗子カップ７が嘴状に開閉動作をする。図３は、鉗子カップ７が開いた状態を示している。
【００２１】
鉗子カップ７と駆動レバー８は、一枚のステンレス鋼板を素材としてプレス加工によって形成されており、図４にその部品単体の斜視図が示され、図１には平面断面の一部が示されている。
【００２２】
鉗子カップ７と駆動レバー８は、全体として柄の短いスプーン状に形成されている。鉗子カップ７は背部分に孔７ａが形成された半長球状であり、開放面の縁部には刃が形成されている。
【００２３】
鉗子カップ７と駆動レバー８との境界部分９は、Ｖ−Ｖ断面を示す図５に示されるように略Ｕ字状の断面形状に形成されており、駆動レバー８も境界部分９と連続した略Ｕ字状の断面形状に形成されている。このように、断面形状が略Ｕ字状に形成された部分は、その底部が横方向の力に対抗する梁として作用し、優れた強度を有する。
【００２４】
操作ワイヤ２の先端に固着連結された棒状のワイヤ連結リンク１２の先側部分が先端支持部材３の溝３２ａ内に位置しており、ワイヤ連結リンク１２の先端部分を挟んで配置された板状の二つのリンク板１３が、リベット１４によってワイヤ連結リンク１２の先端近傍に回動自在に連結されている。
【００２５】
リベット１４は、ワイヤ連結リンク１２に形成された孔１５に回転自在に緩く嵌挿されて、二つのリンク板１３の各々に形成された孔１６に両端が保持されてかしめられている。
【００２６】
略Ｕ字状に形成された駆動レバー８内の隙間部分８ｂは、支軸５の軸線方向に対して垂直の方向に形成された平行溝になっており、その平行溝８ｂ内にリンク板１３の他端側が各々差し込まれ、両端が駆動レバー８に保持されたリベット１８（ピン状部材）によってリンク板１３が駆動レバー８に回動自在に連結されている。
【００２７】
二つのリベット１８は、各リンク板１３に形成された孔１９に各々回転自在に緩く嵌挿されて、各駆動レバー８に形成された孔２０部分に各々の両端が保持されている。８ａは、リンク板１３を通すために駆動レバー８の底部に形成された溝孔である。
【００２８】
このようにして、ワイヤ連結リンク１２と二つのリンク板１３及び駆動レバー８によってパンタグラフ状のリンク機構が構成されていて、操作ワイヤ２を手元側から進退操作することにより、それと一体にワイヤ連結リンク１２が進退し、リンク板１３によって駆動レバー８が支軸５を中心に回動して、鉗子カップ７が嘴状に開閉する。
【００２９】
その際に、リンク板１３が駆動レバー８の平行溝８ｂ内に配置されていて、両端が駆動レバー８に受けられた状態のリベット１８にリンク板１３が係合しているので、リンク板１３と駆動レバー８とが連結部分でかしいだり傾いたりせず円滑に動作し、鉗子カップ７が確実に開閉する。使用時には、生体の粘膜組織を一組の鉗子カップ７の間に強く挟み込んで、食いちぎるようにして鉗子カップ７内に採取する。
【００３０】
なお、本発明は上記実施の形態に限定されるものではなく、例えば図８に示されるように、シース連結部３１に管状の首部を形成して、その部分を駆動機構挟持溝部３２に対してかしめにより一体的に連結してもよい。３１ａがかしめ部分である。また、本発明を生検鉗子以外の各種の内視鏡用処置具に適用してもよい。
【００３１】
【発明の効果】
本発明によれば、先端支持部材が、板状素材からコの字状に形成された駆動機構挟持溝部と、管状素材から軸線位置に孔を有するキャップ状に形成されたシース連結部とを一体に連結して形成されていることから、フライス盤等による切削加工を行うことなくほとんどプレス加工のみで先端支持部材を製造することができるので、製造コストを大幅に低減することができ、内視鏡用処置具の使い捨て化等を容易に実現して患者間の感染防止に寄与することもできる。
【図面の簡単な説明】
【図１】本発明の実施の形態の内視鏡用生検鉗子が閉じた状態の先端部分の平面複合断面図である。
【図２】本発明の実施の形態の内視鏡用生検鉗子が閉じた状態の先端部分の側面複合断面図である。
【図３】本発明の実施の形態の内視鏡用生検鉗子が開いた状態の先端部分の側面部分断面図である。
【図４】本発明の実施の形態の内視鏡用生検鉗子の鉗子カップと駆動レバーが一体に形成された部材の斜視図である。
【図５】本発明の実施の形態の内視鏡用生検鉗子の鉗子カップと駆動レバーとの境界部分の断面図（図４におけるＶ−Ｖ断面図）である。
【図６】本発明の実施の形態の先端支持部材を単独で示す側面断面図である。
【図７】本発明の実施の形態の先端支持部材の分解斜視図である。
【図８】本発明の実施の形態の先端支持部材の変形例を示す側面断面図である。
【図９】従来の内視鏡用生検鉗子の先端部分の側面断面図である。
【図１０】従来の先端支持部材の斜視図である。
【符号の説明】
１  シース
２  操作ワイヤ
３  先端支持部材
５  支軸
７  鉗子カップ
８  駆動レバー
１２  ワイヤ連結リンク
１３  リンク板
３１  シース連結部
３２  駆動機構挟持溝部
３２ａ  溝
【図１】
0003655785.tif 000002
【図２】
0003655785.tif 000003
【図３】
0003655785.tif 000004
【図４】
0003655785.tif 000005
【図５】
0003655785.tif 000006
【図６】
0003655785.tif 000007
【図７】
0003655785.tif 000008
【図８】
0003655785.tif 000009
【図９】
0003655785.tif 000010
【図１０】
0003655785.tif 000011